(57)【要約】【課題】生物処理の処理能力を高度に維持しつつ、外部へ供給される水を効率的に加熱できる水処理システムを提供すること。【解決手段】水処理システム１は、水を貯留する貯水タンク２３と、貯水タンク２３に水を供給する水供給ライン２と、廃液に対して生物処理を行う生物が収容される曝気槽２５と、空気圧縮機４０及び該空気圧縮機４０により圧縮された空気を曝気槽２５に供給する空気供給ライン３を有するブロワ装置２４と、水供給ライン２によって供給される水と空気供給ライン３を流れる空気との間で熱交換を行う熱交換器２２と、を備える。【選択図】図１
2015178051.tif 000002
【特許請求の範囲】
【請求項１】
水を貯留する貯水タンクと、
前記貯水タンクに水を供給する水供給ラインと、
廃液に対して生物処理を行う生物が収容される曝気槽と、
空気圧縮機及び該空気圧縮機により圧縮された空気を前記曝気槽に供給する空気供給ラインを有するブロワ装置と、
前記水供給ラインによって供給される水と前記空気供給ラインを流れる空気との間で熱交換を行う熱交換器と、
を備える水処理システム。
【請求項２】
前記熱交換器は、前記水供給ラインで熱交換を行う請求項１に記載の水処理システム。
【請求項３】
前記熱交換器は、前記貯水タンクの内部で熱交換を行う請求項１に記載の水処理システム。
【請求項４】
前記熱交換器は、
前記空気供給ラインを流れる空気の熱を熱源とするエバポレータと、
前記水供給ラインによって供給される水と熱交換を行うコンデンサと、
前記エバポレータと前記コンデンサとの間で熱媒体を循環させる循環ラインと、
を有するヒートポンプ式に構成される請求項１から３のいずれかに記載の水処理システム。
【請求項５】
前記熱交換器は、
前記空気供給ラインに配置される熱交換部と、
前記熱交換部と前記エバポレータとの間で熱媒体を循環させる第２循環ラインと、
を更に有し、
前記熱交換部を介して前記空気供給ラインを流れる空気の熱が前記エバポレータに供給される請求項４に記載の水処理システム。
【発明の詳細な説明】
【技術分野】
【０００１】
本発明は、水処理システムに関する。
【背景技術】
【０００２】
従来から、工場の生産設備等では、生産工程において生じる汚水を処理したり、熱源設備としてのボイラに供給される水に前処理を行ったり等、汚水や水について各種の処理がその系統ごとに行われている。微生物を活用して汚水処理を行う方法を開示するものとして、例えば特許文献１がある。特許文献１には、窒素を含んだ有機性汚水を生物処理槽に導入してブロワにより曝気しつつ生物学的に浄化するに際し、処理槽への流入路の汚水を、ブロワで発生した加熱空気により間接加温することを特徴とする水処理方法が開示されている。
【先行技術文献】
【特許文献】
【０００３】
【特許文献１】特開２０００−１７６４７６号公報
【発明の概要】
【発明が解決しようとする課題】
【０００４】
菌体等の微生物を用いる水処理では、微生物が好適に活動できるように、微生物が収容される曝気槽内を一定の温度範囲に維持する必要がある。温度範囲を外れた場合、汚水の処理能力の低下を招くおそれがあるため、季節や場所等の外部環境が曝気槽に与える影響も考慮すべきである。この点、特許文献１に開示される方法は、処理される汚水をブロワで発生した加熱空気により間接加温する構成である。そのため、曝気槽の周囲の温度が高い状態にある外部環境によっては、微生物が好適に生物処理を行う温度範囲から外れるまで汚水が加温されてしまうおそれがある。一方で、設備の稼動によって生じる熱は有効に活用されることが好ましい。曝気槽内の生物処理の処理能力を高度に維持しつつ、稼動するシステムの廃熱を効率的に活用するという観点から従来のシステムには改善の余地があった。
【０００５】
本発明は、生物処理の処理能力を高度に維持しつつ、外部へ供給される水を効率的に加熱できる水処理システムを提供することを目的とする。
【課題を解決するための手段】
【０００６】
本発明は、水を貯留する貯水タンクと、前記貯水タンクに水を供給する水供給ラインと、廃液に対して生物処理を行う生物が収容される曝気槽と、空気圧縮機及び該空気圧縮機により圧縮された空気を前記曝気槽に供給する空気供給ラインを有するブロワ装置と、前記水供給ラインによって供給される水と前記空気供給ラインを流れる空気との間で熱交換を行う熱交換器と、を備える水処理システムに関する。
【０００７】
前記熱交換器は、前記水供給ラインで熱交換を行うことが好ましい。
【０００８】
前記熱交換器は、前記貯水タンクの内部で熱交換を行うことが好ましい。
【０００９】
前記熱交換器は、前記空気供給ラインを流れる空気の熱を熱源とするエバポレータと、前記水供給ラインによって供給される水と熱交換を行うコンデンサと、前記エバポレータと前記コンデンサとの間で熱媒体を循環させる循環ラインと、を有するヒートポンプ式に構成されることが好ましい。
【００１０】
前記熱交換器は、前記空気供給ラインに配置される熱交換部と、前記熱交換部と前記エバポレータとの間で熱媒体を循環させる第２循環ラインと、を更に有し、前記熱交換部を介して前記空気供給ラインを流れる空気の熱が前記エバポレータに供給されることが好ましい。
【発明の効果】
【００１１】
本発明の水処理システムによれば、生物処理の処理能力を高度に維持しつつ、外部へ供給される水を効率的に加熱できる。
【図面の簡単な説明】
【００１２】
【図１】第１実施形態に係る水処理システムの全体構成図である。
【図２】第２実施形態に係る水処理システムの全体構成図である。
【図３】第３実施形態に係る水処理システムの全体構成図である。
【図４】第４実施形態に係る水処理システムの全体構成図である。
【発明を実施するための形態】
【００１３】
以下、本発明の水処理システムの好ましい各実施形態について、図面を参照しながら説明する。図１は、第１実施形態に係る水処理システム１の全体構成図である。
【００１４】
第１実施形態に係る水処理システム１の全体構成について説明する。図１に示すように、第１実施形態に係る水処理システム１は、水供給ライン２と、軟水器２１と、熱交換器２２と、貯水タンク２３と、ブロワ装置２４と、曝気槽２５と、給水ライン４と、を備える。第１実施形態の水処理システム１は、貯水タンク２３に貯留された水をボイラ（図面において省略）に供給するとともに、ブロワ装置２４によって曝気槽２５に曝気を行うものである。以下、水処理システム１が備える各構成について説明する。
【００１５】
水供給ライン２は、水の供給源からボイラに水を供給するための水の供給経路である。水供給ライン２は、第１水供給ライン１１と、第２水供給ライン１２と、第３水供給ライン１３と、を備える。水供給ライン２の接続関係の詳細については、各構成で説明する。なお、本明細書における「ライン」とは、流路、径路、管路等の流体の流通が可能なラインの総称である。
【００１６】
軟水器２１は、水源から供給される水に対して軟水化処理を行うものである。軟水器２１には、第１水供給ライン１１の下流側が接続されるとともに、第２水供給ライン１２の上流側が接続されている。軟水化処理は、イオン交換樹脂を使用する等の適宜の方法により行われる。
【００１７】
熱交換器２２は、水供給ライン２を流れる水と後述の空気供給ライン３を流れる空気との間で熱交換可能に構成されており、水供給ライン２を流れる水の加熱を行うとともに、空気供給ライン３を流れる空気の冷却を行う。熱交換器２２は、水供給ライン２における軟水器２１の下流側に配置される。熱交換器２２には、第２水供給ライン１２の下流側が接続されるとともに、第３水供給ライン１３の上流側が接続される。
【００１８】
貯水タンク２３は、水供給ライン２から送られてきた水を貯留するためのものである。貯水タンク２３は、水供給ライン２における熱交換器２２の下流側に配置される。貯水タンク２３には、第３水供給ライン１３の下流側が接続されるとともに、給水ライン４の上流側が接続される。
【００１９】
ブロワ装置２４は、曝気槽２５に曝気を行うためのものであり、空気圧縮機４０と、空気供給ライン３と、を備える。空気圧縮機４０は、曝気槽２５に供給する空気を圧縮するためのものである。本実施形態の水処理システム１は、その稼動中、空気圧縮機４０によって空気供給ライン３に連続的に圧縮空気を送り込むように構成される。
【００２０】
空気供給ライン３は、空気圧縮機４０によって圧縮された空気を曝気槽２５に供給するための空気の供給経路である。空気供給ライン３は、第１空気供給ライン３１と、第２空気供給ライン３２と、を備える。第１空気供給ライン３１は、その上流側が空気圧縮機４０に接続されており、下流側が熱交換器２２に接続される。第２空気供給ライン３２は、その上流側が熱交換器２２に接続され、下流側が曝気槽２５に接続される。空気圧縮機４０で圧縮された空気は、第１空気供給ライン３１、熱交換器２２、第２空気供給ライン３２の順に空気供給ライン３を流れて曝気槽２５に送られる。
【００２１】
曝気槽２５は、空気供給ライン３における熱交換器２２の下流側に配置される。曝気槽２５には、廃液を生物処理するための好気性菌体等の微生物が収容されている。ブロワ装置２４から空気が供給されることにより、曝気槽２５に収容される微生物の代謝作用によって廃液の有機物が分解される。
【００２２】
給水ライン４は、貯水タンク２３からボイラへ給水を行うための給水経路である。貯水タンク２３に貯留された水は、この給水ライン４を介して熱源機器としてのボイラへ供給される。
【００２３】
以上の構成で、第１実施形態の水処理システム１による水処理が行われる。水処理システム１による水処理の動作について説明する。図略の供給源から供給される水は、軟水器２１によって軟水処理が行われた後、水供給ライン２を通じて熱交換器２２の内部に送られる。ブロワ装置２４から供給される空気は、空気圧縮機４０によって圧縮されることにより、高温になった状態で空気供給ライン３を通じて熱交換器２２の内部に送り込まれる。熱交換器２２の内部では、水供給ライン２を流れる水と空気供給ライン３を流れる高温の空気との間で熱交換が行われる。空気供給ライン３を流れる空気は、水供給ライン２を流れる水によって熱を奪われるかたちで冷却されて、適切な温度に調節された後、曝気槽２５に送られる。曝気槽２５では、適切な温度で送られてきた空気の酸素によって微生物が生物処理を行う。このように、ブロワ装置２４で圧縮された空気は、その温度が熱交換器２２によって適切に調節された状態で曝気槽２５に供給される。これにより、高温の空気によって曝気槽２５が加温されすぎて、曝気槽２５内の温度が微生物の好適な活動条件から外れる事態を効果的に防止できる。一方、水供給ライン２を流れる水は、熱交換器２２の内部で、空気供給ライン３を流れる空気の熱を奪うかたちで加熱された後、貯水タンク２３に貯留される。貯水タンク２３に貯留された水は、ボイラの稼動に応じてボイラに供給される。第１実施形態の水処理システム１は、ボイラに供給される水の加熱をブロワ装置２４の廃熱を利用して行うことができるのである。
【００２４】
以上説明した第１実施形態の水処理システム１によれば、以下のような効果を奏する。
第１実施形態の水処理システム１は、水を貯留する貯水タンク２３と、貯水タンク２３に水を供給する水供給ライン２と、廃液に対して生物処理を行う生物が収容される曝気槽２５と、空気圧縮機４０及び該空気圧縮機４０により圧縮された空気を曝気槽２５に供給する空気供給ライン３を有するブロワ装置２４と、水供給ライン２によって供給される水と空気供給ライン３を流れる空気との間で熱交換を行う熱交換器２２と、を備える。これにより、曝気槽２５に供給される空気を適切な温度に冷却でき、曝気槽２５内の温度が上昇し過ぎることを防げるので、生物処理の処理能力を高度に維持できるとともに、曝気槽２５に供給される空気の冷却時の熱交換を利用して水供給ライン２によって供給される水を効率的に加熱できる。
【００２５】
熱交換器２２は、水供給ライン２で熱交換を行うように構成される。これにより、貯水タンク２３に供給される前の温度が低い状態の水を効果的に加熱できる。
【００２６】
次に、第２実施形態に係る水処理システム１０１について説明する。図２は、第２実施形態に係る水処理システム１０１の全体構成図である。図２に示すように、第２実施形態に係る水処理システム１０１は、水供給ライン２と、軟水器２１と、熱交換器２２と、貯水タンク２３と、ブロワ装置２４と、曝気槽２５と、給水ライン４と、三方弁１１０と、バイパスライン１１１と、モータ１１２と、温度センサ１１３と、を備える。第２実施形態の水処理システム１０１は、第１実施形態の水処理システム１の構成に加え、三方弁１１０と、バイパスライン１１１と、モータ１１２と、温度センサ１１３と、を更に備える構成である。なお、以下の説明において、上記実施形態と同じ構成については、同じ符号を付してその説明を省略する。
【００２７】
三方弁１１０は、ブロワ装置２４によって曝気槽２５に供給される空気の供給経路を切り替える切替手段である。三方弁１１０は、第１空気供給ライン３１の経路途中に配置される。この三方弁１１０には、バイパスライン１１１が接続されている。第２実施形態では、三方弁１１０によって、熱交換器２２を経由して曝気槽２５に送られる経路と、熱交換器２２を経由せず、バイパスライン１１１を通って曝気槽２５に送られる経路と、のいずれかに空気の供給経路が切替可能になっている。
【００２８】
バイパスライン１１１は、その上流側が三方弁１１０に接続されるとともに、下流側が第２空気供給ライン３２の経路途中に接続されている。上述のように、三方弁１１０まで送られてきた空気がバイパスライン１１１を通るときは、熱交換器２２を経由せず、曝気槽２５まで直接送られる。
【００２９】
モータ１１２は、三方弁の経路の切替を行うための駆動手段である。温度センサ１１３は、曝気槽２５内の温度を検出するための検出手段である。第２実施形態の水処理システム１０１は、温度センサ１１３の検出結果に基づいて空気の供給経路の切替を行うように構成される。
【００３０】
第２実施形態の水処理システム１０１による経路の切替制御について説明する。温度センサ１１３は、図略のコンピュータ（制御部及び記憶部）に接続されており、該コンピュータは、温度センサ１１３の検出結果をモニタリングする。コンピュータは、温度センサ１１３の検出結果が予め設定される所定の温度より高い場合は三方弁１１０の経路が熱交換側になるようにモータ１１２を制御し、所定の温度より低い場合はバイパスライン１１１側になるようにモータ１１２を制御する。
【００３１】
以上説明した第２実施形態の水処理システム１０１によれば、以下のような効果を奏する。外部の要因等によって曝気槽２５内の温度が所定より低く、熱交換器２２で冷却する必要がない場合がある。このような場合でも第２実施形態の水処理システム１０１であれば、温度センサ１１３の検出結果に基づいてモータ１１２が駆動され、三方弁１１０によって空気の供給経路がバイパスライン１１１側に切り替えられる。これにより、ブロワ装置２４から供給される空気は、熱交換器２２を経由しないので、冷却されることなく曝気槽２５に直接供給される。このように、第２実施形態の水処理システム１０１によれば、曝気槽２５内の温度が低下した場合でも、三方弁１１０の制御によって空気の供給経路を切り替えて曝気槽２５内の温度を適切な範囲に維持できる。
【００３２】
次に、第３実施形態に係る水処理システム２０１について説明する。図３は、第３実施形態に係る水処理システム２０１の全体構成図である。図３に示すように、第３実施形態に係る水処理システム２０１は、水供給ライン２と、軟水器２１と、熱交換器２２２と、貯水タンク２３と、ブロワ装置２４と、曝気槽２５と、給水ライン４と、を備える。第３実施形態では、水処理システム２０１が備える熱交換器２２２の構成が、第１実施形態の水処理システム１が備える熱交換器２２の構成と異なっている。
【００３３】
第３実施形態の水処理システム２０１が備える熱交換器２２２について説明する。第３実施形態の熱交換器２２２は、いわゆるヒートポンプ式に構成されており、熱交換部５１と、熱交換部循環ライン（第２循環ライン）５２と、循環ポンプ５３と、エバポレータ６１と、ヒートポンプ循環ライン（第１循環ライン）６２と、圧縮機６３と、コンデンサ６４と、膨張弁６５と、を備える。
【００３４】
熱交換部５１は、空気供給ライン３を流れる空気と後述の熱交換部循環ライン５２を流れる熱媒体との間で熱交換可能に構成される。熱交換部５１は、空気供給ライン３における曝気槽２５の上流側に配置される。熱交換部５１には、第１空気供給ライン３１の下流側が接続されるとともに、第２空気供給ライン３２の上流側が接続される。熱交換部循環ライン５２は、熱交換部５１とエバポレータ６１との間で水等の適宜の熱媒体を循環させるための循環経路である。この熱交換部循環ライン５２には、熱交換部５１と、エバポレータ６１と、循環ポンプ５３と、が順次環状に接続されている。循環ポンプ５３は、熱交換部循環ライン５２内の熱媒体を熱交換部５１とエバポレータ６１との間で循環させる循環装置である。
【００３５】
エバポレータ６１は、熱交換部循環ライン５２を流れる熱媒体を熱源とする蒸発器である。エバポレータ６１は、ヒートポンプ循環ライン６２によってコンデンサ６４と接続される。ヒートポンプ循環ライン６２は、エバポレータ６１とコンデンサ６４との間で熱媒体を循環させるための循環経路である。このヒートポンプ循環ライン６２には、エバポレータ６１と、圧縮機６３と、コンデンサ６４と、膨張弁６５と、が順次環状に接続されている。
【００３６】
圧縮機６３は、熱媒体を圧縮して高温高圧にするためのものであり、エバポレータ６１から送られてきた熱媒体は、この圧縮機６３で圧縮されて高温の状態でコンデンサ６４へ送られる。
【００３７】
コンデンサ６４は、水供給ライン２を流れる水とヒートポンプ循環ライン６２を流れる熱媒体との間で熱交換を行うように構成される。コンデンサ６４は、水供給ライン２において、軟水器２１と貯水タンク２３との間に配置される。コンデンサ６４には、第２水供給ライン１２の下流側が接続されるとともに、第３水供給ライン１３の上流側が接続される。
【００３８】
膨張弁６５は、熱媒体の圧力を低下させる。コンデンサ６４から送られてきた熱媒体は、この膨張弁６５によって圧力が低下した状態で、エバポレータ６１に戻される。
【００３９】
次に、第３実施形態の熱交換器２２２によって行われる空気供給ライン３を流れる空気と水供給ライン２を流れる水との間の熱交換について説明する。
【００４０】
まず、曝気槽２５に供給される空気の冷却について説明する。ブロワ装置２４の空気圧縮機４０で圧縮されて高温となった空気は、第１空気供給ライン３１を通じて熱交換部５１に送られると、熱交換部５１の内部を通る熱交換部循環ライン５２の熱媒体と熱交換を行い、冷却される。熱交換部５１で冷却された空気は、第２空気供給ライン３２を通じて曝気槽２５に供給され、この供給された空気によって曝気が行われ、微生物による生物処理が行われる。
【００４１】
次に、貯水タンク２３に供給される水の加熱について説明する。熱交換部５１で加熱された熱交換部循環ライン５２を流れる熱媒体は、エバポレータ６１に送られる。エバポレータ６１では、熱交換部循環ライン５２を流れる熱媒体とヒートポンプ循環ライン６２を流れる熱媒体との間で熱交換が行われ、ヒートポンプ循環ライン６２を流れる熱媒体は加熱されて圧縮機６３に送られる。一方、熱交換部循環ライン５２を流れる熱媒体は冷却されて熱交換部５１に戻され、熱交換部循環ライン５２を循環する。
【００４２】
圧縮機６３に送られたヒートポンプ循環ライン６２の熱媒体は、圧縮機６３により圧縮されて高温高圧の状態でコンデンサ６４に送られる。コンデンサ６４は、圧縮機６３から送られた熱媒体を凝縮液化し、そのときの放熱によって水供給ライン２を流れる水が加熱される。
【００４３】
コンデンサ６４から送られたヒートポンプ循環ライン６２の熱媒体は、膨張弁６５で圧力が低下した後、エバポレータ６１に戻される。エバポレータ６１は、膨張弁６５から戻された熱媒体を蒸発させ、このときの気化熱によって、熱交換部５１から熱交換部循環ライン５２を通じて送られてきた熱媒体が冷却される。以上説明したように、第３実施形態の熱交換器２２２は、熱交換部５１を介して段階的に熱交換を行うヒートポンプ式に構成されるものである。
【００４４】
以上説明した第３実施形態の水処理システム２０１によれば、以下のような効果を奏する。
熱交換器２２２は、空気供給ライン３を流れる空気の熱を熱源とするエバポレータ６１と、水供給ライン２によって供給される水と熱交換を行うコンデンサ６４と、エバポレータ６１とコンデンサ６４との間で熱媒体を循環させるヒートポンプ循環ライン６２と、を有するヒートポンプ式に構成される。これにより、ヒートポンプ式に構成される熱交換器２２２によって、水供給ライン２によって供給される水を十分な温度まで容易に加熱できる。
【００４５】
熱交換器２２２は、空気供給ライン３に配置される熱交換部５１と、熱交換部５１とエバポレータ６１との間で熱媒体を循環させる熱交換部循環ライン５２と、を更に有し、熱交換部５１を介して空気供給ライン３を流れる空気の熱がエバポレータ６１に供給される。これにより、ブロワ装置２４の空気圧縮機４０によって供給される空気によって直接的に加熱される熱交換部５１が故障した場合であっても、その影響を熱交換部５１までに抑えることができる。
【００４６】
次に、第４実施形態に係る水処理システム３０１について説明する。図４は、第４実施形態に係る水処理システム３０１の全体構成図である。図４に示すように、第４実施形態に係る水処理システム３０１は、水供給ライン３０２と、軟水器２１と、熱交換器３２２と、貯水タンク２３と、ブロワ装置２４と、曝気槽２５と、給水ライン４と、を備える。第４実施形態の水処理システム３０１は、第３実施形態の水処理システム２０１の構成と、熱交換器３２２の配置場所が異なっている。
【００４７】
第４実施形態の水処理システム３０１が備える水供給ライン３０２について説明する。第４実施形態の水供給ライン３０２は、第１水供給ライン１１と、第２水供給ライン３１２と、を備える。第１水供給ライン１１は、その上流側が水の供給源に接続されるとともに、下流側が軟水器２１に接続される。第２水供給ライン３１２は、その上流側が軟水器２１に接続されるとともに、下流側が貯水タンク２３に接続される。
【００４８】
第４実施形態の水処理システム３０１が備える熱交換器３２２について説明する。図４に示すように、第４実施形態の熱交換器３２２は、熱交換部５１と、熱交換部循環ライン５２と、循環ポンプ５３と、エバポレータ６１と、ヒートポンプ循環ライン６２と、圧縮機６３と、コンデンサ３６４と、膨張弁６５と、を備える。第４実施形態の熱交換器３２２は、第３実施形態の熱交換器２２２と同様に、熱交換部５１を介して段階的に熱交換を行うヒートポンプ式に構成される。
【００４９】
図４に示すように、第４実施形態の熱交換器３２２は、その構成の一部であるコンデンサ３６４が、水供給ライン２から送られてきた水が貯留される貯水タンク２３の内部に配置される。第３実施形態の熱交換器３２２は、熱交換部５１、エバポレータ６１及びコンデンサ３６４を介し、空気供給ライン３に供給された空気と貯水タンク２３に貯留される水との間で熱交換を行う。
【００５０】
以上説明した第４実施形態の水処理システム３０１によれば、以下のような効果を奏する。
熱交換器３２２は、貯水タンク２３の内部で熱交換を行う。これにより、貯水タンク２３の内部の水を加熱するので、貯水タンク２３への水の供給が間欠的に行われる場合であっても、ブロワ装置２４の稼動によって生じる廃熱を貯水タンク２３内部に恒常的に蓄熱できる。
【００５１】
また、第４実施形態の熱交換器３２２は、ヒートポンプ式に構成されているので、貯水タンク２３内の水の温度を十分に加熱できる。例えば、ボイラからドレンが貯水タンク２３に回収されるような構成等の場合、貯水タンク２３内の水の温度がある程度高い状態になることがある。このような場合でも、ヒートポンプ式に構成される熱交換器３２２によって、貯水タンク２３内の水の温度を更に高い温度へと容易に加熱できる。また、貯水タンク２３への水の供給は、ボイラの動作に応じて行われるため、間欠的な場合がある。このような場合であっても、第４実施形態の構成であればブロワ装置２４から連続的に排出される熱を熱交換器３２２によって貯水タンク２３の内部に蓄熱できるので、ブロワ装置２４の廃熱を無駄なく活用できる。
【００５２】
以上、本発明の水処理システムの好ましい各実施形態につき説明したが、本発明は、上述の実施形態に制限されるものではなく、適宜変更が可能である。例えば、第３実施形態の熱交換器２２２及び第４実施形態の熱交換器３２２の構成から、熱交換部５１、熱交換部循環ライン５２及び循環ポンプ５３を省略し、第１空気供給ライン３１をエバポレータ６１に直接接続する構成に変更できる。また、熱交換器の配置場所についても適宜変更することができる。例えば、給水ライン４に熱交換器を配置することも可能である。
【００５３】
また、上記実施形態の水処理システムは、ボイラに給水を行う構成だが、供給先がボイラに限定されるわけではない。給湯システム等の加熱された水を利用する設備に水を供給するような場合にも本発明を適用できる。
【符号の説明】
【００５４】
１  水処理システム
２  水供給ライン
３  空気供給ライン
２２  熱交換器
２３  貯水タンク
２４  ブロワ装置
２５  曝気槽
４０  空気圧縮機
５１  熱交換部
５２  熱交換部循環ライン（第２循環ライン）
６１  エバポレータ
６２  ヒートポンプ循環ライン（第１循環ライン）
６４  コンデンサ
２２２  熱交換器
３２２  熱交換器
【図１】
2015178051.tif 000003
【図２】
2015178051.tif 000004
【図３】
2015178051.tif 000005
【図４】
2015178051.tif 000006